【手続補正書】
【提出日】平成16年6月24日(2004.6.24)
【手続補正１】
【補正対象書類名】明細書
【補正対象項目名】特許請求の範囲
【補正方法】変更
【補正の内容】
【特許請求の範囲】
【請求項１】２００ＭＨｚを超える動作周波数を有するアンテナであって、
中心軸（１２Ａ）を有し比誘電率が５よりも大きい固体材料で形成された円筒形の絶縁体（１６）と、
大部分が前記固体材料により占められている容積を画成する前記絶縁体の外方表面と、
前記絶縁体（１６）の前記円筒形表面上の導電性スリーブ（２４）と、
前記導電性スリーブ（２４）と共に前記固体材料により略充填され、端部が開放された空洞を形成し、前記中心軸を横切って延びる、前記絶縁体の表面（１６Ｐ）上の導電層（２６）とを含み、
前記空洞と関連するフィーダ構造と、
前記開放端の周囲の電気的長さが、前記動作周波数に対応する周囲の導波管内の波長の整数（１、２、３・・・）に略等しいように形成された前記比誘電率及び前記空洞の寸法とを備えたことを特徴とするアンテナ。
【請求項２】前記動作周波数は５ＧＨｚよりも低いことを特徴とする請求項１記載のアンテナ。
【請求項３】前記フィーダ構造は、平衡な給電終端と、該給電終端から前記絶縁体の対向する両側に沿って前記空洞の開放端におけるリム（２４Ｒ）上の直径に沿って対向する位置まで延びる１対の導電性軌道（１４Ａ、１４Ｂ）とを含み、該軌道のそれぞれの電気的長さは、ｎλｇ／４に等しい、ただしｎは整数（１、２、３・・・）、λｇは前記動作周波数における前記軌道に沿った管内波長であることを特徴とする請求項１または請求項２記載のアンテナ。
【請求項４】前記フィーダ構造は、前記中心軸（１２Ａ）上の前記絶縁体を貫いて前記導電層（２６）との接続から前記空洞の前記開放端を越えて給電終端まで延びる、フィード線（２３）を含み、前記スリーブ（２４）は、前記動作周波数における平衡不平衡変成器としての役割をして、それによって前記導電層に隣接する前記フィード線（２３）上の単一端信号を、前記給電終端における平衡な信号に変換し、前記絶縁体（１６）の材料の比誘電率は、５０から１００の範囲内、好ましくは約９０であることを特徴とする請求項１から３のいずれか１項に記載のアンテナ。
【請求項５】前記動作周波数において円偏波放射についての放射パターンを有し、該放射
パターンはカージオイド形であり、その最大値は前記絶縁体（１６）の前記軸（１２Ａ）に沿って前記空洞の前記開放端から外向きに遠ざかることを特徴とする請求項１から４のいずれか１項に記載のアンテナ。
【請求項６】前記動作周波数は略１５７５ＭＨｚまたは略１２２８ＭＨｚであり、または前記動作周波数は１５９７から１６１７ＭＨｚ、１２４０から１２６０ＭＨｚ、１６１０から１６２６．５ＭＨｚ、２４８３．５から２５００ＭＨz、１６２６．５から１６４６
．５ＭＨｚ、または１５２５から１５４５ＭＨｚの範囲となるようになしてあることを特徴とする請求項１から５のいずれか１項に記載のアンテナ。
【請求項７】前記絶縁体（１６）は、前記軸（１２Ａ）の方向に前記空洞の開口部を越えて延びる部分を有し、前記フィーダ構造は、前記絶縁体の部分の表面上の導体（１４Ａ、１４ＡＲ、１４Ｂ、１４ＢＲ）のパターンを含み、前記導体は、それぞれが一端において給電終端に、他端において前記スリーブ（２４）のリム（２４Ｒ）に接続されている、軸方向に共に延びるらせん形の要素（１４Ａ、１４Ｂ）を含み、前記フィーダ構造は更に、前記導電層（２６）を貫きかつ前記絶縁体（１６）を貫いて前記給電終端へと軸方向に延びる同軸送信ライン（２３）を含み、該ラインの外部スクリーン（２０）は、前記導電層（２６）に接続され、それによって、前記スリーブ（２４）は平衡不平衡変成器としての役割をして前記終端における平衡を促進することを特徴とする請求項１記載のアンテナ。
【請求項８】前記らせん形の要素の両端（１４ＡＥ、１４ＡＦ、１４ＢＥ、１４ＢＦ）は、前記中心軸（１２Ａ）を含む単一の平面（２８）内に略あり、前記アンテナはループ共鳴を示して、前記平面（２８）に略垂直に前記絶縁体を通る横軸上の零位を除いて全方向性の放射パターンを形成することを特徴とする請求項７記載のアンテナ。
【請求項９】前記ループ共鳴は、８２４から９６０ＭＨｚの範囲または１７１０から１９９０ＭＨｚの範囲の周波数で起こることを特徴とする請求項８記載のアンテナ。
【請求項１０】前記フィーダ構造は、必要な動作周波数で前記空洞内の導波管共鳴を励起する回転フィードシステム（１４Ａ、１４Ｂ）を含み、その共鳴は、前記空洞の開口部の直径を横切るように配向されかつ前記空洞の中心軸の回りをスピンする少なくとも１つの電圧双極子によって特徴づけられており、それによって前記空洞の開口部から軸方向外側へ向けられる円偏波放射パターンを生じ、反対の軸方向ではゼロであることを特徴とする請求項１記載のアンテナ。
【請求項１１】請求項１から１０のいずれか１項に記載のアンテナと、該アンテナに結合され、前記アンテナの前記動作周波数において動作するように構成された無線周波数信号受信または送信段とを含む無線信号送受信システム。
【請求項１２】前記受信または送信段が、第１の信号受信または送信周波数において動作するように構成されかつ前記アンテナに連結された無線周波数のフロントエンド段を含み、
前記比誘電率と前記空洞の寸法とは、前記空洞の開放端におけるリムの電気的長さが、前記第１の信号周波数に対応する管内波長の整数（１、２、３・・・）に略等しく、
前記フロントエンド段は、更に第２の信号受信または送信周波数において動作するようになっており、
前記絶縁体（１６）は、前記軸（１２Ａ）の方向に前記空洞の開口部を越えて延びる部分を有し、前記フィーダ構造は、前記空洞の前記リム（２４Ｒ）から給電終端まで延びる前記絶縁体の部分の表面上の１対の細長い導体（１４Ａ、１４Ｂ）を含み、該導体（１４Ａ、１４Ｂ）は、前記第２の信号周波数において直線偏波信号についての共鳴を示し、
前記システムは更に、前記アンテナのフィーダ構造に関連する共通信号線（３２Ａ）と、それぞれ前記第１および第２の信号受信周波数において動作するように接続する少なくとも２つの更なる信号線（３２Ｂ、３２Ｃ）とを有する、結合段を含むことを特徴とする請求項１１記載のシステム。
【請求項１３】前記結合段は、共に前記フィーダ構造と前記更なる信号線（３２Ｂ、３２Ｃ）との間に接続される、インピーダンスを合わせる部分（３４）と信号を誘導する部分（３６）とを含み、該信号を誘導する部分（３６）は、前記第１の信号周波数における信号について、前記共通信号線（３２Ａ）と前記更なる信号線のうちの一方とを結合し、前記第２の信号周波数における信号において、前記共通信号線（３２Ａ）と他方の更なる信号線（３２Ｂ、３２Ｃ）とを結合するように配設されており、
前記１対の細長い導体は、該導体の両端が前記中心軸を含む単一の平面内に略ある状態の、ねじれたループとして形成され、それによって該導体は、前記絶縁体（１６）を通る横切る零位の軸の中心の零位を除いて全方向性の関連する放射パターンを前記第２の信号周波数において有することを特徴とする請求項１２記載のシステム。
【請求項１４】少なくとも２つの間隔を置いて配置した周波数帯域において動作可能であり、アンテナ（１２）と、結合段（３２）と、無線周波数段とを含む携帯電話システム（１０）であって、
前記無線周波数段は、それぞれ前記帯域内の周波数で動作するようになっている少なくとも２つのチャネルを有し、
前記アンテナは、請求項１０記載のアンテナを含み、該アンテナの前記動作周波数は第１の動作周波数であり、
前記アンテナの前記絶縁体（１６）は、前記空洞の開口部を越えて延び、
前記給電システムは、第２の動作周波数において直線偏波についての共鳴を示すループとしての役割をする、１対の細長い導体（１４Ａ、１４ＡＲ、１４Ｂ、１４ＢＲ）を含み、
円および直線の偏波についての前記共鳴が起こる動作周波数はそれぞれ、前記チャネルの動作周波数を含む前記間隔を置いて配置した帯域内にあり、
前記結合段（３２）は、前記アンテナの前記給電システムに接続された共通信号線（３２Ａ）と、前記無線周波数段の、それぞれ前記チャネル（３０Ａ、３０Ｂ）に関連する入力に接続する、更なる信号線（３２Ｂ、３２Ｃ）とを有することを特徴とする携帯電話システム（１０）。
【請求項１５】誘電率が５よりも大きい材料で形成された、円筒形の絶縁体（１６）と、
該絶縁体の前記円筒形の表面上の導電性スリーブ（２４）と、
前記スリーブと共に、前記誘電体材料で略満たされた開放端を有する空洞を形成するために、前記絶縁体の横切って延びる表面（１６Ｐ）上に配置された導電層（２６）と、
前記空洞に関連するフィーダ構造（１４Ａ、１４ＡＲ、１４Ｂ、１４ＢＲ）とを含み、
前記スリーブ（２４）の開放端の回りでリングモードの共鳴が起こる少なくとも１つの周波数において、周囲から吸収した信号を無線信号受信機装置に供給し、および／または、無線信号送信機装置からの信号を周囲に放射することを含み、前記吸収または放射される信号は円偏波であるアンテナの操作方法。